(57)【特許請求の範囲】
【請求項１】
前面枠の前面に打球供給皿を開閉自在に装着し、前記前面枠に前記打球供給皿の球出口から流入するパチンコ球を球送り部材によって発射位置へと供給する打球供給装置を設け、前記打球供給装置にはパチンコ球を必要に応じて抜き取るための球抜き口を設けたパチンコ遊技機において、
前記前面枠側に前記球抜き口を開閉する球抜き部材を設け、
前記打球供給皿側には前記球出口を開閉する球止め部材と、前記球止め部材及び前記球抜き部材に連携する操作部材とを設け、
前記球抜き部材と前記操作部材とは、該球抜き部材の一端側に設けられた筒部が該操作部材に設けられた連繋孔に係合されて連繋し、
前記打球供給皿の閉塞時には、前記球抜き部材の筒部と前記操作部材の連繋孔が係合していて、該操作部材を操作すると、該操作部材と連繋する前記球抜き部材が移動可能となっており、
前記打球供給皿を開放すると、前記球抜き部材の筒部と前記操作部材の連繋孔の係合が解除されることにより、前記操作部材が移動して前記球止め部材が前記打球供給皿の球出口を閉鎖するようにしたことを特徴とするパチンコ遊技機。
【請求項２】
前記球止め部材と前記操作部材とは、該操作部材に設けられた連繋ピンが該球止め部材に設けられたガイド孔に貫挿されて連繋していることを特徴とする請求項1記載のパチンコ機。
【発明の詳細な説明】
【０００１】
【発明の属する技術分野】
本発明は、パチンコ遊技機に関するもので、特に球止め機構を備えたパチンコ遊技機に関するものである。
【０００２】
【従来の技術】
従来のパチンコ遊技機においては、打球供給皿のパチンコ球を打球供給装置によって、発射装置に連動して発射レールの発射部に１個ずつ供給するようにしている。一方、前記打球供給皿に球抜き口が設けられると共に、該球抜き口を閉塞する球抜き部材が配設され、操作部材を操作することにより球抜き部材を作用させて、球抜き口を開放して球抜きをするようにしている。
【０００３】
従来のパチンコ遊技機においては、打球供給皿のパチンコ球を打球発射装置に連動して発射レールの発射部に１個ずつ供給する打球供給装置を前面枠側に設け、打球発射装置と打球供給装置との位置合わせを不要としたものがある。一方、前記打球供給皿の開閉に伴って、打球供給皿の球出口を開閉する球止め機構を備え、打球供給皿の開放時に球出口からパチンコ球が流出しないようにしていた。（実公昭５４−２９９０３号公報参照）
【０００４】
【発明が解決しようとする課題】
ところで上記したパチンコ遊技機は、打球供給皿の球出口を球止めする球止め構造が球止め専用であるため、部品点数が多く複雑となり必然的にコスト高となっていた。
【０００５】
そこで本発明は上記課題を解決し、部品点数を少なくし、簡単な構造で球出口の開閉を可能にしたパチンコ遊技機を提供することを目的とするものである。
【０００６】
【課題を解決するための手段】
上記目的を達成するために、本発明は、前面枠の前面に開閉自在に装着される打球供給皿のパチンコ球を球送り部材により発射位置に供給する打球供給装置を前面枠側に装着し、該打球供給装置の導入口と連通する打球供給皿の球出口を開閉する球止め手段と、打球供給皿のパチンコ球を球抜きする球抜き手段を備えたパチンコ遊技機において、前記球抜き手段は、打球供給装置に設けた球抜き口を閉塞する球抜き部材と、打球供給皿に設けた操作部材を連繋してなり、さらに該操作部材に連繋して球止め手段を設け、打球供給皿の開放により球抜き手段の連繋を解除すると共に球出口を閉塞し、打球供給皿の閉鎖時には球抜き手段の連繋により球出口を開放するようにしたことを特徴とする。
【０００７】
そして、上記構成により本発明は、球抜き手段の連繋を利用することにより、球止め手段を作用させるようにして、簡単な構造で球出口の開閉を可能とした。
【０００８】
また、前記球送り部材は、最先のパチンコ球を支持する支持部を有し、該支持部の上面を球抜き口に向う傾斜面とし、打球供給装置内にパチンコ球を残すことなく球抜きできるようにするのが好ましい。
【０００９】
また、前記球抜き部材は、球送り部材に支持される最先のパチンコ球を球抜き口へ押出す押片部を設けるようにし、打球供給装置内にパチンコ球を残すことなく球抜きできるようにするのが好ましい。
【００１０】
【発明の実施の形態】
次に図面に従い本発明の実施の形態を説明する。図１はパチンコ遊技機の正面図、図２はガラス扉枠と前面板とを開放した状態を示すパチンコ遊技機の下部部分の斜視図である。図において、１はパチンコ遊技機の機枠であり、該機枠１の前面に額縁状に形成された前面枠２が開閉自在に取付けられている。該前面枠２の裏面に合成樹脂により一体に形成された取付枠３を介して遊技盤４が取付られており、その前面を覆うようにガラス扉枠５が装着されている。また、その下方に合成樹脂製の前面板６がヒンジ機構７により開閉自在に装着され、該前面板６の前面に打球を供給する打球供給皿８が装着されている。９は打球供給皿８の余剰球を貯留する下部球受皿である。
【００１１】
また、下部球受皿９の側方に位置して操作ハンドル１０が設けられ、該前記操作ハンドル１０は、図１６に示すように前面枠２の前面に固定される握り部１１と、該握り部１１に回動自在に設けられる操作レバー１２とを備える。握り部１１内にボリュームスイッチ１３が組み込まれ、操作レバー１２を回動することによって該ボリュームスイッチ１３がボリューム調整され、打球の発射力が調節される。
【００１２】
前記遊技盤４の前面にはガイドレール１４が配設され、該ガイドレール１４の下方に位置して、取付枠３に形成した取付凹部１５に発射レール１６，打球発射装置１７および発射レール１６の発射位置１８にパチンコ球を供給する打球供給装置１９等が装着される発射ユニット２０が取着されている。
【００１３】
前記打球発射装置１７は、図５に示すように箱状の取付枠２１に、操作ハンドル１０の操作によって駆動する直線往復動式の発射ソレノイド２２が設置されている。該発射ソレノイド２２は、長手方向にプランジャ式の打球杆２３が挿通支持されており、先端にゴム製の槌頭２４が設けられ、打球杆２３の後端のストッパ２５によって往復動が規制されると共に、衝撃が緩和されるようになっている。また、打球杆２３の先端側に後述する球送り部材２９と係合する係止部材２６が装着されており、後端側にコイル状の復元ばね２７が巻装されている。
【００１４】
前記打球供給装置１９は、図６に示すようにケース体２８と打球供給皿８のパチンコ球を一個ずつ発射位置１８に供給する球送り部材２９とで構成される。ケース体２８は、前後に二分割して形成され、前ケース体２８ａの上部に前記打球供給皿８のパチンコ球を導く導入口３０が開設され、該導入口３０に連通して後ケース体２８ｂに供給路３１が形成され、その終端に前記球送り部材２９が収容される円筒状の収容部３２が形成され、側壁に前記発射レール１６の発射位置１８に対応して供給口３３が開設される。そして、前ケース体２８ａに、球抜き口３４が開設され、該球抜き口３４は球抜通路部材３５を介して前記収容部３２の下方に形成された球抜き通路３６と連通している。さらに、球抜き通路３６は、前面枠２に形成された球抜き樋３７を介して下部球受皿９に連通している。また、前ケース体２８ａには、球抜き口３４を開閉する球抜き手段の球抜き部材３８が、ガイド部３９により左右方向に移動自在に配設され、スプリング４０により常に球抜き口３４を閉塞するように付勢されている。球抜き部材３８は、球抜き口３４を閉塞する板状部４１と先端円錐形の筒部４２が形成されている。
【００１５】
前記球送り部材２９は、前ケース体２８ａに一体的に設けられた回動支軸４３に巻ばね４４を介して回動自在に支持され、供給路３１の最先のパチンコ球を受け止める球止部４５と、回動により球止部４５から落下するパチンコ球を受入れて保持する球保持部４６を一体に備え、側面に後ケース体２８ｂの円弧状長孔８０から外方に突出し、前記係止部材２６に係合するする係合ピン４７が設けられている。また、前記球止部４５は、回動支軸４３を中心とした円弧面であり、かつ前記球抜き口３４側に下傾して形成されており、球保持部４６は球保持部４６に受入れたパチンコ球を供給口３３に導くように下傾している。
【００１６】
また、前記発射ユニット２０は、図５に示すように前記取付凹部１５に嵌る取付ベース４７を有し、該取付ベース４７には、上述した発射レール１６の取付ボス４８および打球発射装置１７の取付部４９が凹状に形成されると共に、打球供給装置１９の取付ボス５０が設けられている。また、取付ベース４７には、前記ガイドレール１４の始端と発射レール１６との間に開設されるファール球口５１から落下するファール球および前面板６の開放時にパチンコ球導出口５２から落下する零れ球を受けて下部球受皿９に導くファール球樋５３が形成されると共に、その左側方にスピーカー５４が収納されるスピーカー収納部５５が形成され、前面にスピーカー５４のコーン部を露呈させる円形状の透音孔５６が開設されたカバー５７を装着している。
【００１７】
そして、取付ベース４７の取付ボス４８に、前記発射レール１６をビス着し、取付部４９に打球発射装置１７を嵌合してビス着することにより、発射レール１６の発射位置１８と打球杆２３の槌頭２４との位置合わせが確実にできる。また、取付ボス５０に打球供給装置１９をビス着することにより、供給口３３が発射位置１８に対応して正確に取付けられる。このように組付けられた発射ユニット２０は、取付枠３に形成した取付凹部１５に嵌め込んでビス等の適宜手段により簡単に装着される。
【００１８】
また、前記打球供給皿８は、図７に示すようにパチンコ球を貯留する皿部材５８と該皿部材５８の前面外側を被うカバー部材５９とからなり、皿部材５８は底壁６０が一方に緩やかに下傾し、その傾斜下端にパチンコ球が一列に整列される整列通路部６１が形成され、終端を前面板６に開設した球出口６２に連通している。また、カバー部材５９内部には球抜き手段としての操作部材が設けられ、該操作部材は操作部６３とレバー部材６４とからなり、さらに該レバー部材６４と連繋して、前面板６の開放時に前記球出口６２を閉鎖する球止め部材６５が設けられている。図８に示すように操作部６３は前記皿部材５８の板状部５８ａに開設した開口６６から臨んで、前記前面板６に突設した軸６７により上下方向に押圧自在に軸支され、レバー部材６４は、長円に形成された軸孔６８を前記前面板６に突設した軸筒６９に挿通して上下および揺動自在に軸支され、前記軸筒６９の開放端を操作部６３の下部に垂設した板状部７０で塞いで抜け止めされている。そして、レバー部材６４はスプリング７１で付勢され、常にレバー部材６４の係止突起７２と操作部６３の作動片７３が接触位置している。また、レバー部材６４には、前記球抜き部材３８の筒部４２に係合する連繋孔７４が形成され、さらに球止め部材６５との連繋ピン７５が一体に設けられている。なお、操作部材は操作部とレバー部材を一体に形成したものでもよく、この場合軸孔を長孔にすればよい。
【００１９】
前記球止め部材６５は、前面板６に突設した軸ピン７６により揺動自在に軸支され、該軸支部を介して一方に球出口６２を開閉する扇状の球止め部７７が形成され、他方に設けられた腕部に前記連繋ピン７５が貫挿される楕円状のガイド孔７８が形成されている。７９は前面板６に形成された前記筒部４２が臨む案内溝である。
【００２０】
上記のように構成される球止め機構の作用について説明する。前面板６の閉鎖時において、図１５に示すように球抜き部材３８の筒部４２が前面板６の案内溝７９から打球供給皿８のカバー部材５９内に臨んで、レバー部材６４の連繋孔７４と連繋状態にある。このとき図８および図９に示すように球止め部材６５が球出口６２を開放する位置に揺動保持されており、打球供給皿８の球出口６２と打球供給装置１９の導入口３０が連通してに皿部材５８のパチンコ球を供給可能な状態となっている。そして、この状態から打球発射装置１７等の点検により前面板６を開放すると、図１２および図１３に示すようにレバー部材６４の連繋孔７４と球抜き部材３８の筒部４２の連繋が解除され、レバー部材６４がスプリング７１の付勢により上動する。すると、図１２に示すように連繋ピン７５の上動に伴い球止め部材６５が軸ピン７６を支軸に揺動して球止め部７７が球出口６２を閉鎖する。このようにして、前面板６を開放すると打球供給皿８のパチンコ球の流出を防ぐようになっている。
【００２１】
また、この状態から前面板６を閉鎖すると、球抜き部材３８の筒部４２が前面板６の案内溝７９から打球供給皿８のカバー部材５９内に臨んで、先端円錐形部がレバー部材６４の連繋孔７４に挿入し、レバー部材６４がスプリング７１の付勢に抗して長円の軸孔６８により徐々に下動して、図８および図１２鎖線に示すように球抜き部材３８とレバー部材６４が連繋する。それに伴って連繋ピン７５が下動して球止め部材６５を揺動し、球止め部７７が上方に移動して球出口６２を開放する。これによって、導入口３０と連通状態となり、打球供給皿８のパチンコ球を打球供給装置１９に供給可能となる。
【００２２】
上記のように構成されるパチンコ遊技機は、図１０および図１１に示す発射ソレノイド２２が消磁し、打球杆２３が後退した状態において、係止部材２６と係合ピン４７の係合により、球送り部材２９は、球止部４５が回動支軸４３の軸上に位置して、打球供給皿８から球供給路３１に流入した最先のパチンコ球を受止める状態で停止している。
【００２３】
この状態で、遊技者が操作ハンドル１０の操作レバー１２を回動してボリュームスイッチ１３のボリューム調整をすることによりパルス信号が出力され、このパルス信号により打球発射装置１７の発射ソレノイド２２を作動させ、打球杆２３の往動により係止部材２６を介して、図１４に示すように打球供給装置１９の球送り部材２９を回動させ、球支持部４５で支持された最先のパチンコ球が球保持部４６に受入れられ、次いで打球杆２３の復動により起立状態に復帰し、該パチンコ球が供給口３３から発射レール１６の発射位置１８に送給される。そして、打球杆２３の往動により、発射レール１６の発射位置１８のパチンコ球を遊技盤４面に勢いよく打ち出し、以後同じ動作を繰り返す。
【００２４】
次に打球供給皿８内のパチンコ球の球抜きについて説明する。まず操作部６３を図８鎖線に示すように下方に押圧して、レバー部材６４をスプリング７１の付勢に抗して回動させる。これにより図１５鎖線に示すようにレバー部材６４と連繋している球抜き部材３８が移動し、球止部４５で受止められていたパチンコ球が、板状部４１の支持を失い、球止部４５の上面傾斜により球抜き通路部材３５を介して球抜き通路３６に落下する。そして、後続のパチンコ球も同じように球抜き通路３６に落下して、球抜き樋３７を介して下部球受皿９に排出される。このようにして、打球供給装置１９内にパチンコ球は残ることもなく、打球供給皿８のパチンコ球をすべて球抜きすることができる。なお、このとき球止め部材６５は、レバー部材６４連繋ピン７５が、ガイド孔７８内を移動するだけで揺動せず、球出口６２を開放した状態を維持している。
【００２５】
そして、打球供給皿８内のパチンコ球を下部球受皿９に抜取った後、図８に示すように操作部６３の押圧を解除すると、スプリング７１の付勢によってレバー部材６４が元の状態に復帰し、同時に球抜き部材３８もスプリング４０の付勢により図１５に示す位置に移動し、球抜き口３４を閉塞し球抜き通路３６への連通状態が解除される。
【００２６】
また、図１７ないし図２０は、打球供給装置の他の実施の形態を示している。この実施の形態は、前記打球供給装置１９と異なる点はを電気的駆動手段を使用した点であり、それに伴う相違点は打球発射装置１７との係止部材２６が無くなっただけであるため、同じ構成部材には同一符号を付して説明する。該打球供給装置１９Ａは、図１７に示すようにケース体８１と打球供給皿８のパチンコ球を一個ずつ発射位置１８に供給する球送り部材８２と該球送り部材８２を作動させる電気的駆動手段である電磁石８３とで構成される。
【００２７】
前記ケース体８１は、前記打球供給装置１９と外観形状がほぼ同じであり、前後に二分割して形成され、前ケース体８１ａの上部に前記球出口６２に合致する導入口３０を開設すると共に、該導入口３０に連通して供給路３１が形成され、その終端に前記球送り部材８２が収容される。そして、後ケース体８１ｂの側壁に前記発射レール１６の発射位置１８に対応して供給口３３が開設される。そして、供給路３１の終端に球抜き口３４が開設され、その下方に球抜き通路３６が形成され、該球抜き通路３６は、前面枠２に形成された球抜き樋３７に連通している。また、後ケース体８１ｂには、球抜き口３４を開閉する球抜き手段の球抜き部材３８がガイド部３９により左右方向に移動自在に配設され、スプリング４０により常に球抜き口３４を閉塞するように付勢されている。該球抜き部材３８は、球抜き口３４を閉塞する板状部４１と前記球送り部材８２上面に臨む押片部８４が形成されると共に、ガイド部３９から突出する先端円錐形の筒部４２が形成されている。
【００２８】
前記球送り部材８２は、供給路３１の最先のパチンコ球を受け止める球止部４５と、回動により球止部４５から落下するパチンコ球を受入れて保持する球保持部４６を一体に備え、側面に突出する係合ピン８５が設けられている。そして両側部に発射レール１６と平行な回動支軸８６が一体に突設されており、該回動支軸８６を後ケース体８１ｂに形成された軸受凹部８７に嵌めて、上下に回動自在に支持される。
【００２９】
前記電磁石８３は、前ケース体８１ａの収納空間８８に取付金具８９を介して取付けられ、その下方に位置して磁着片９０が前ケース体８１ａに突設した軸ピン９１に傾動自在に軸支され、前記係合ピン８５を係合載置する係合部９２を設けている。なお、取付金具８９は、図  に示すように前面板６の閉鎖時に金属板６ａと接触状態にあり、電磁石８３の放熱作用を促す。
【００３０】
このように構成される打球供給装置１９Ａは、電磁石８３が励磁されていない時は、図１８および図２０に示すように球送り部材８２が起立状態にあって球止部４５で最先のパチンコ球を受止めている。この状態で、遊技者が操作ハンドル１０を操作すると打球発射装置１７の発射ソレノイド２２が作動して、打球杆２３を往復動させ、その作動に同期して電磁石８３が励磁され、図１８鎖線に示すように磁着片９０が吸着され、図２０鎖線に示すように球送り部材８２が揺動し、球止部４５で支持された最先のパチンコ球が球保持部４６に受入れられ、次いで電磁石８３が消磁すると自重により起立状態に復帰し、該パチンコ球が供給口３３から発射レール１６の発射位置１８に送給される。そして、打球杆２３の往動により、発射レール１６の発射位置１８のパチンコ球を遊技盤４に勢いよく打ち出すようになっており、以後同じ動作を繰り返す。
【００３１】
また、打球供給皿８内のパチンコ球の球抜きは、前記実施の形態と同様に、操作部６３を下方に押圧することによりレバー部材６４と連繋している球抜き部材３８が、図１８および図１９の鎖線に示すように移動し、板状部４１で受止められていたパチンコ球が、板状部４１の支持を失い球抜き口３４から球抜き通路３６に落下して球抜き樋３７を介して下部球受皿９に排出される。また、球送り部材８２の球止部４５上面に残されているパチンコ球は、図１８および図１９の鎖線に示すように球抜き部材３８の押片部８４によって球抜き口３４に押し出されて球抜き通路３６に落下し、下部球受皿９に排出され打球供給装置１９Ａ内にパチンコ球は残ることもなく、打球供給皿８のパチンコ球をすべて球抜きすることができる。
【００３２】
また、球止め機構の作用については、前記実施の形態と構成が同じであり、前面板６の閉鎖時において、図１９に示すように球抜き部材３８の筒部４２とレバー部材６４との連繋されており、球止め部材６５が球出口６２を開放する位置に揺動保持され、皿部材５８のパチンコ球を打球供給装置１９Ａに供給可能とし、前面板６を開放すると、図２０鎖線に示すようにレバー部材６４と筒部４２の連繋が解除され、それに伴って球止め部材６５が揺動して球止め部７７が球出口６２を閉鎖して、打球供給皿８のパチンコ球の流出を確実に防ぐ。
【００３３】
なお、打球供給装置１９，１９Ａを外観形状を同じにすると共に、導入口３０および供給口３３をそれぞれ同じ位置に設けたので、打球供給装置１９，１９Ａが互いに互換性を有し、打球発射装置１７の係止部材２６を介して打球を供給するパチンコ遊技機と電気的駆動源により打球を供給するパチンコ遊技機とに僅かな部品を代えるだけで簡単に変換することができる。
【００３４】
【発明の効果】
以上説明したように本発明のパチンコ遊技機は、球抜き手段の連繋を利用して球出口の開閉を可能としたので、簡単な構造で部品点数を少なく構造が簡単で、コストの低減を図ることができると共に、組立作業の効率化を図ることができる。さらに、打球供給皿の球抜き時に打球供給装置内にパチンコ球を球抜きすることができ、遊技者の残球処理の煩わしさを解消することができる。
【図面の簡単な説明】
【図１】本発明に係るパチンコ遊技機の正面図である。
【図２】ガラス扉枠と飾り板とを開放した状態を示すパチンコ遊技機の下部部分の斜視図である。
【図３】発射ユニットを前面枠から外した状態の斜視図である。
【図４】発射ユニットの斜視図である。
【図５】発射ユニットの分解斜視図である。
【図６】打球供給装置の分解斜視図である。
【図７】打球供給皿の分解斜視図である。
【図８】球抜き装置部分の要部正面図である。
【図９】打球供給装置部分の要部側断面図である。
【図１０】打球供給装置部分の要部平断面図である。
【図１１】打球供給装置の正面断面図である。
【図１２】球止め作用を示す要部正面図である。
【図１３】打球供給皿を開放した状態の要部側断面図である。
【図１４】打球供給装置の作用を示す断面図である。
【図１５】球抜きの作用を示す打球供給装置の断面図である。
【図１６】操作ハンドルの断面図である。
【図１７】他の実施の形態の打球供給装置の分解斜視図である。
【図１８】図１７の正面断面図である。
【図１９】図１７の打球供給装置部分の要部平断面図である。
【図２０】図１７の打球供給装置部分の要部側断面図である。
【符号の説明】
２              前面枠
８              打球供給皿
１７            打球発射装置
１８            発射位置
１９，１９Ａ    打球供給装置
２９            球送り部材
３０            導入口
３４            球抜き口
３８            球抜き部材（球抜き手段）
６２            球出口
６３            操作部（球抜き手段）
６４            レバー部材（球抜き手段）
６５            球止め部材（球止め手段）
８２            球送り部材
【図１】
0004456705.tif 000002
【図２】
0004456705.tif 000003
【図３】
0004456705.tif 000004
【図４】
0004456705.tif 000005
【図５】
0004456705.tif 000006
【図６】
0004456705.tif 000007
【図７】
0004456705.tif 000008
【図８】
0004456705.tif 000009
【図９】
0004456705.tif 000010
【図１０】
0004456705.tif 000011
【図１１】
0004456705.tif 000012
【図１２】
0004456705.tif 000013
【図１３】
0004456705.tif 000014
【図１４】
0004456705.tif 000015
【図１５】
0004456705.tif 000016
【図１６】
0004456705.tif 000017
【図１７】
0004456705.tif 000018
【図１８】
0004456705.tif 000019
【図１９】
0004456705.tif 000020
【図２０】
0004456705.tif 000021